(57)【特許請求の範囲】
【請求項１】
開口部と、
前記開口部から電子部品を収納する収納部と、
防水を図って前記開口部を塞ぐ蓋と、
前記開口部の周囲に対応する防水用の弾性部材と、
前記弾性部材が嵌合する防水用の溝と、を備え、
前記蓋の一方を固定部、他方を支持部として、
前記溝の前記支持部に対応する側に可動壁を設け、
前記蓋を、前記支持部を支点として回転させながら前記開口部に装着する際に、前記弾性部材が前記溝に嵌合するとともに、前記可動壁が連動して移動して前記弾性部材に押し付けられることを特徴とする電子部品収納装置。
【請求項２】
前記支持部は差し込み部で、
前記可動壁は前記差し込み部の差し込み動作に連動することを特徴とする請求項１に記載の電子部品収納装置。
【請求項３】
前記固定部はネジ止め部であることを特徴とする請求項１または２に記載の電子部品収納装置。
【請求項４】
前記電子部品は電池であることを特徴とする請求項１から３のいずれか一項に記載の電子部品収納装置。
【請求項５】
請求項１から４のいずれか一項に記載の電子部品収納装置を筐体に備えることを特徴とする電子機器。
【発明の詳細な説明】
【技術分野】
【０００１】
本発明は、開口部から電子部品を収納する電子部品収納装置と、その電子部品収納装置を備える電子機器に関する。
【背景技術】
【０００２】
携帯電子機器において、電池蓋に防水機能を設けたものが特許文献１に開示される。
このようなもので、より防水機能を高めようとすると、溝にパッキンを押し込む構成が考えられ、また、装着方法として、特許文献１のように、蓋の一端を回転させながら装着することが考えられる。
【先行技術文献】
【特許文献】
【０００３】
【特許文献１】特開２００６−３２０８９号公報
【発明の概要】
【発明が解決しようとする課題】
【０００４】
しかし、より防水機能を高めるために溝にパッキンを押し込む構成としたにも関わらず、回転側の溝は広くしなければならなかったため、パッキンの押し付けが片側のみとなってしまう。
【０００５】
本発明の課題は、蓋の装着のし易さを損なわずに防水機能を高めることである。
【課題を解決するための手段】
【０００６】
以上の課題を解決するため、請求項１に記載の発明は、開口部と、前記開口部から電子部品を収納する収納部と、防水を図って前記開口部を塞ぐ蓋と、前記開口部の周囲に対応する防水用の弾性部材と、前記弾性部材が嵌合する防水用の溝と、を備え、前記蓋の一方を固定部、他方を支持部として、前記溝の前記支持部に対応する側に可動壁を設け、前記蓋を、前記支持部を支点として回転させながら前記開口部に装着する際に、前記弾性部材が前記溝に嵌合するとともに、前記可動壁が連動して移動して前記弾性部材に押し付けられる電子部品収納装置を特徴とする。
【０００７】
請求項２に記載の発明は、請求項１に記載の電子部品収納装置であって、前記支持部は差し込み部で、前記可動壁は前記差し込み部の差し込み動作に連動することを特徴とする。
【０００８】
請求項３に記載の発明は、請求項１または２に記載の電子部品収納装置であって、前記固定部はネジ止め部であることを特徴とする。
【０００９】
請求項４に記載の発明は、請求項１から３のいずれか一項に記載の電子部品収納装置であって、前記電子部品は電池であることを特徴とする。
【００１０】
請求項５に記載の発明は、請求項１から４のいずれか一項に記載の電子部品収納装置を筐体に備える電子機器を特徴とする。
【発明の効果】
【００１１】
本発明によれば、蓋の装着のし易さを損なうことなく、防水機能を高めることができる。
【図面の簡単な説明】
【００１２】
【図１】本発明を適用した電子機器の一実施形態の構成を示すもので、携帯電話に電子部品を収納した状態を示した背面図である。
【図２】図１の携帯電話から蓋を外してその内面を並べて示した斜視図である。
【図３】図１の弾性部材及び可動壁の蓋外し時を示した平面図（ａ）と、蓋装着時を示した平面図（ｂ）である。
【図４】図１の弾性部材及び可動壁の蓋外し時を示した縦断面図である。
【図５】図４から蓋を装着する時を示した図である。
【図６】図５を経て蓋装着時を示した図である。
【発明を実施するための形態】
【００１３】
以下、図を参照して本発明を実施するための形態を詳細に説明する。
（実施形態）
図１は本発明を適用した電子機器の一実施形態の構成として携帯電話に電子部品を収納した状態を示すもので、図２は携帯電話から蓋を外してその内面を並べて示したものである。図中、１は筐体、２は電池（電子部品）、３は電池蓋、４はパッキン（弾性部材）、５は可動壁、９はネジ部材である。
【００１４】
図示のように、筐体１の背面には、電子部品としての電池２を収納する収納部１１が形成されており、電池２は、開口部１２から収納部１１に収納される。この収納部１１の開口部１２には、防水を図って塞ぐ電池蓋３が着脱自在となっている。そして、収納部１１の周囲には、その四辺に沿って囲むパッキン溝１３が形成されている。
【００１５】
電池蓋３の内面には、その四辺に沿って囲む防水用のリブ３１（図５及び図６参照）が一体に形成されている。このリブ３１は、筐体１のパッキン溝１３に対応するもので、パッキン溝１３に嵌め合わさるパッキン４が一体化されている。
【００１６】
電池蓋３は、一端に設けた一対の差し込み片３２を、筐体１の開口部１２の下辺部に設けた一対の差し込み溝１４に差し込んで、他端をネジ部材９で固定する。ネジ部材９は、筐体１の開口部１２の上辺部中央にネジ込まれたもので、一対のロック爪９１を有している。このネジ部材９は、電池蓋３の他端に形成した円穴３３に頭部が位置して、その頭部の回転操作により円穴３３の周囲内面に設けたロック片３４に重なって、電池蓋３が開口部１２を閉じた状態にロックする。
【００１７】
そして、筐体１の収納部１１には、パッキン溝１３の下辺部の開放された内周側に沿って位置する可動壁５が配置されている。
【００１８】
図３（ａ）はパッキン４及び可動壁５の蓋外し時を示した平面図で、図３（ｂ）は同じく蓋装着時を示したものであり、図４から図６はその縦断面図で蓋外し時から蓋を装着する時を経て蓋装着時を示したものである。図中、６は支持部材、７はＯリング、８はばね部材である。
【００１９】
図示のように、可動壁５は、筐体１の開口部１２の下辺部内に移動自在に組み付けられた支持部材６と一体化して連結したもので、支持部材６には、差し込み溝１４内に位置する一対の押圧部６１が一体に形成されている。また、支持部材６は、筐体１の開口部１２の下辺部内にＯリング７を介装して移動自在に防水されている。さらに、筐体１の開口部１２の下辺部内には、押圧部６１が差し込み溝１４内に位置する方向に支持部材６を付勢するばね部材８が配置されている。なお、支持部材６は筐体１の端部内に密着状態で組み込まれて、ばね部材８の部分に水は浸入しない防水構造となっている。
【００２０】
電池蓋３を閉める際は、先ず、一端に設けた一対の差し込み片３２を、筐体１の開口部１２の下辺部に設けた一対の差し込み溝１４に差し込んで、差し込み片３２を支点として電池蓋３を回転させながら開口部１２を閉じて、他端をネジ部材９で固定する。
【００２１】
このとき、筐体１の収納部１１周囲のパッキン溝１３に、電池蓋３内面のパッキン４が嵌合して圧入される。同時に、図５に示すように、差し込み片３２が押圧部６１を押し込み、これにより支持部材６と一体化された可動壁５が、図３（ｂ）及び図６に示すように、パッキン４の内周に押し付けられて圧接状態となる。従って、防水性能が確保される。
【００２２】
以上、実施形態の携帯電話によれば、電池蓋３の一端に設けた一対の差し込み片３２を、筐体１の開口部１２の下辺部に設けた一対の差し込み溝１４に差し込んで、差し込み片３２を支点として電池蓋３を回転させながら開口部１２に装着する際に、筐体１の収納部１１周囲のパッキン溝１３に、電池蓋３内面のパッキン４が嵌合して圧入されると同時に、差し込み片３２が押圧部６１を押し込んで、支持部材６と一体化した可動壁５が、パッキン４の内周に押し付けられて圧接状態となるため、電池蓋３の装着のし易さを損なうことなく、防水機能を高めることができる。
【００２３】
（変形例）
なお、実施形態では、電池蓋３の差し込み片３２で支持部材６の押圧部６１を押すようにしたが、それ以外に、例えばねじを回すことで可動壁５を引張るなどのリンク機構を設けたものでもよい。
【００２４】
（他の変形例）
以上の実施形態においては、携帯電話としたが、本発明はこれに限定されるものではなく、ＰＤＡ、ノートパソコン、ウェアラブルパソコン、電卓、電子辞書、車両などにおいて、電池などの電子部品収納装置を用いた電子機器の全てに用いることができる。
また、実施形態とは逆に、パッキンが本体、溝が蓋に設けられたものでも良い。
さらに、収納されるのは電池以外にメモリーカードなど他の電子部品であってもよい。
【００２５】
また、固定部はネジ以外に特許文献１のようなロック部材でもよい。
そして、開口部、収納部、蓋、弾性部材、溝、可動壁の形状等も任意であり、その他、具体的な細部構造等についても適宜に変更可能であることは勿論である。
【符号の説明】
【００２６】
１  筐体
１１  収納部
１２  開口部
１３  パッキン溝
１４  差し込み溝
２  電池（電子部品）
３  電池蓋
３１  リブ
３２  差し込み片
３３  円穴
３４  ロック片
４  パッキン（弾性部材）
５  可動壁
６  支持部材
６１  押圧部
７  Ｏリング
８  ばね部材
９  ネジ部材
９１  ロック爪
【図１】
0005398005.tif 000002
【図２】
0005398005.tif 000003
【図３】
0005398005.tif 000004
【図４】
0005398005.tif 000005
【図５】
0005398005.tif 000006
【図６】
0005398005.tif 000007